(57)【要約】【課題】より安価および簡易に水道水の水質を管理する。【解決手段】情報処理装置２０は、端末装置１０により撮影された、水道水の水質に関連する撮影画像を取得し、取得した撮影画像から、水道水の状態を判定する。【選択図】図１
2022001346.tif 000002
【特許請求の範囲】
【請求項１】
情報処理装置を備える水質管理システムであって、
前記情報処理装置は、
端末装置により撮影された、水道水の水質に関連する撮影画像を取得する取得手段と、
前記取得手段により取得された撮影画像から、前記水道水の状態を判定する状態判定手段と、を備える水質管理システム。
【請求項２】
請求項１に記載の水質管理システムにおいて、
前記情報処理装置はさらに、
前記取得手段により取得された撮影画像の信頼性を評価する画像評価手段をさらに備え、
前記状態判定手段は、前記画像評価手段により一定以上の信頼性を有すると評価された撮影画像から、前記水道水の状態を判定する、水質管理システム。
【請求項３】
請求項２に記載の水質管理システムにおいて、
前記画像評価手段は、前記撮影画像から測定される前記水道水の水質と、前記水道水を供給する水供給施設から前記撮影された水道水の採水位置までの所定の地点における水道水の水質との比較により、前記撮影画像の信頼性を評価する、水質管理システム。
【請求項４】
請求項３に記載の水質管理システムにおいて、
前記画像評価手段は、前記撮影画像から測定される前記水道水の水質と、前記水供給施設の出口における水道水の水質との比較により、前記撮影画像の信頼性を評価する、水質管理システム。
【請求項５】
請求項３または４に記載の水質管理システムにおいて、
前記画像評価手段は、前記撮影画像から測定される前記水道水の水質と、前記水道水が採水された地域における水道水の水質との比較により、前記撮影画像の信頼性を評価する、水質管理システム。
【請求項６】
請求項２から５のいずれか一項に記載の水質管理システムにおいて、
前記画像評価手段は、前記撮影画像の信頼性を、前記撮影画像と同一の採水位置の水道水を撮影した他の撮影画像を用いて評価する、水質管理システム。
【請求項７】
請求項２から６のいずれか一項に記載の水質管理システムにおいて、
前記画像評価手段は、前記撮影画像の信頼性を、前記撮影画像を撮影した端末装置とは異なる端末装置により撮影された撮影画像を用いて評価する、水質管理システム。
【請求項８】
請求項２から７のいずれか一項に記載の水質管理システムにおいて、
前記画像評価手段は、前記撮影画像の信頼性を、前記撮影画像を撮影した端末装置により撮影された他の撮影画像を用いて評価する、水質管理システム。
【請求項９】
端末装置により撮影された、水道水の水質に関連する撮影画像を取得する取得手段と、
前記取得手段により取得された撮影画像から、前記水道水の状態を判定する状態判定手段と、を備える情報処理装置。
【請求項１０】
情報処理装置を、
端末装置により撮影された、水道水の水質に関連する撮影画像を取得する取得手段と、
前記取得手段により取得された撮影画像から、前記水道水の状態を判定する状態判定手段と、として機能させるプログラム。
【請求項１１】
通信可能に接続された複数の情報処理装置によって構成され、端末装置により撮影された、水道水の水質に関連する撮影画像を取得する取得手段と、前記取得手段により取得された撮影画像から、前記水道水の状態を判定する状態判定手段と、前記状態判定手段の判定結果に基づき、前記水供給施設から供給される水道水の水質管理を制御する水質管理手段と、を備える水質管理システムを構成するために、前記複数の情報処理装置のうちの１つの情報処理装置を、
前記取得手段、前記状態判定手段および前記水質管理手段の少なくとも１つとして機能させる、プログラム。
【請求項１２】
端末装置により撮影された、水道水の水質に関連する撮影画像を取得するステップと、
前記取得された撮影画像から、前記水道水の状態を判定するステップと、
前記判定の結果に基づき、前記水供給施設から供給される水道水の水質管理を制御するステップと、を含む水質管理方法。
【発明の詳細な説明】
【技術分野】
【０００１】
本発明は、水質管理システム、情報処理装置、プログラムおよび水質管理方法に関する。
【背景技術】
【０００２】
特許文献１には、浄水場から水道管路を介して需要家に供給される水道水の水質を管理するシステムが記載されている。特許文献１に記載のシステムでは、配水本管網から枝分かれし需要家側に向かう配水小管網の管内に、水質を計測する水質モニタが設置され、配水小管網の起点に、水道水の水質を管理する配水設備が設置される。特許文献１に記載のシステムでは、水質モニタの計測結果に基づき、配水小管網を流れる水道水の水質が配水設備により管理される。
【先行技術文献】
【特許文献】
【０００３】
【特許文献１】特開２０００−８４５３７号公報
【発明の概要】
【発明が解決しようとする課題】
【０００４】
特許文献１に記載のシステムでは、水質モニタなどの設備の設置および維持管理に多くの手間およびコストがかかってしまう。
【０００５】
かかる事情に鑑みてなされた本発明の目的は、より安価および簡易に水道水の水質を管理することにある。
【課題を解決するための手段】
【０００６】
本発明の一実施形態に係る水質管理システムは、情報処理装置を備える水質管理システムであって、前記情報処理装置は、端末装置により撮影された、水道水の水質に関連する撮影画像を取得する取得手段と、前記取得手段により取得された撮影画像から、前記水道水の状態を判定する状態判定手段と、を備える。
【０００７】
本発明の一実施形態に係る情報処理装置は、端末装置により撮影された、水道水の水質に関連する撮影画像を取得する取得手段と、前記取得手段により取得された撮影画像から、前記水道水の状態を判定する状態判定手段と、を備える。
【０００８】
本発明の一実施形態に係るプログラムは、情報処理装置を、端末装置により撮影された、水道水の水質に関連する撮影画像を取得する取得手段と、前記取得手段により取得された撮影画像から、前記水道水の状態を判定する状態判定手段と、として機能させる。
【０００９】
本発明の一実施形態に係るプログラムは、通信可能に接続された複数の情報処理装置によって構成され、端末装置により撮影された、水道水の水質に関連する撮影画像を取得する取得手段と、前記取得手段により取得された撮影画像から、前記水道水の状態を判定する状態判定手段と、前記状態判定手段の判定結果に基づき、前記水供給施設から供給される水道水の水質管理を制御する水質管理手段と、を備える水質管理システムを構成するために、前記複数の情報処理装置のうちの１つの情報処理装置を、前記取得手段、前記状態判定手段および前記水質管理手段の少なくとも１つとして機能させる。
【００１０】
本発明の一実施形態に係る水質管理方法は、端末装置により撮影された、水道水の水質に関連する撮影画像を取得するステップと、前記取得された撮影画像から、前記水道水の状態を判定するステップと、前記判定の結果に基づき、前記水供給施設から供給される水道水の水質管理を制御するステップと、を含む。
【発明の効果】
【００１１】
本発明の一実施形態によれば、より安価および簡易に水道水の水質を管理することができる。
【図面の簡単な説明】
【００１２】
【図１】本発明の一実施形態に係る水質管理システムの構成例を示す図である。
【図２】図１に示す水質管理システムの動作の一例を示すシーケンス図である。
【図３】図１に示す画像評価手段による撮影画像の信頼性の評価の一例を示すフローチャートである。
【図４】水道水の滞留時間について説明するための図である。
【図５】図１に示す画像評価手段による撮影画像の信頼性の評価の他の一例を示すフローチャートである。
【発明を実施するための形態】
【００１３】
以下、本発明の実施の形態について図面を参照して例示説明する。各図中、同一符号は、同一または同等の構成要素を示している。
【００１４】
図１は、本発明の一実施形態に係る水質管理システム１の構成例を示す図である。本実施形態に係る水質管理システム１は、浄水場などの水供給施設から水需要家に供給される水道水の状態を管理するシステムである。
【００１５】
図１に示す水質管理システム１は、端末装置１０と、情報処理装置２０と、水質管理手段としての水質管理装置３０とを備える。
【００１６】
端末装置１０は、例えば、スマートフォン、タブレット端末、デジタルカメラなどの撮影機能を備える装置である。端末装置１０は、撮影手段としての撮影部１１を備える。撮影部１１は、所定の範囲を撮影した撮影画像を生成するカメラである。端末装置１０は、水道水の水質に関連する撮影画像を撮影（取得）する。水道水の水質に関連する撮影画像とは、水道水の水質の測定に利用可能な画像である。水道水の水質に関連する撮影画像は、例えば、水供給施設から供給された水道水（住居あるいは施設などに設置された蛇口、水栓および給水口などから採水された水道水）を撮影した画像である。また、水道水の水質に関連する撮影画像は、水道水の水質に応じて反応する所定の試薬（例えば、ＤＰＤ試薬、ＳＴＢ試薬、過マンガン酸カリウム、フェノールレッドなど）を添加した水道水を撮影した画像である。また、水道水の水質に関連する撮影画像は、水道水を塗布した所定の試験紙（例えば、試薬を塗布または吸収させて乾燥させた試薬）、または、水道水に浸漬した所定の試験紙を撮影した画像である。また、水道水の水質に関連する撮影画像は、所定の試薬を添加した水道水を塗布した所定の試験紙、または、所定の試薬を添加した水道水に浸漬した所定の試験紙を撮影した画像である。撮影対象の水道水は、水質変動が生じるほどの期間汲み置きされた水道水ではなく、採水された後、水質変動が生じない程度の時間しか経っていない水である。また、撮影対象の水道水は、水供給施設から配管網を通って供給された水である。撮影対象の水道水は、水供給施設から十分に離れた位置（水供給施設を出た水道水が採水されるまでに、水質管理の制御を行う必要が生じるほどの水質変動が生じ得る位置）における、蛇口、水栓または給水口などから採水された水である。なお、水道水の水質の十分な制御を行うためには、１か所ではなく、点在する複数の箇所で採水された水道水の撮影を行うことが好ましい。
【００１７】
端末装置１０が通信機能を備える場合、端末装置１０は、蛇口などから採水された水道水、所定の試薬を添加した水道水または水道水を接触させた所定の試験紙を撮影した撮影画像を情報処理装置２０に送信してよい。端末装置１０により撮影された撮影画像は、通信機能を備える他の装置により、情報処理装置２０に送信されてもよい。なお、以下では、記載の簡略化のため、蛇口などから採水された水道水、所定の試薬を添加した水道水、水道水または所定の試薬を添加した水道水を塗布した所定の試験紙、または水道水または所定の試薬を添加した水道水に浸漬した所定の試験紙を撮影することを纏めて、「水道水を撮影する」と称することがある。
【００１８】
端末装置１０は、ＧＰＳ（Global Positioning System）信号などに基づき端末装置１０の位置情報を取得する位置情報取得機能を備えてもよい。端末装置１０が位置情報取得機能を備える場合、端末装置１０は、撮影画像とともに、撮影の際の端末装置１０の位置情報を、情報処理装置２０に送信してよい。端末装置１０の位置情報は、端末装置１０を操作するユーザにより入力されてもよい。また、端末装置１０は、撮影画像とともに、水道水が採水された時刻あるいは撮影の行われた時刻を示す時刻情報を、情報処理装置２０に送信してよい。水道水が採水された時刻は、例えば、端末装置１０を操作するユーザが入力することができる。
【００１９】
情報処理装置２０は、端末装置１０により撮影された撮影画像を取得し、取得した撮影画像から水道水の状態を判定し、判定結果を水質管理装置３０に出力する装置である。情報処理装置２０は、例えば、ネットワークを介して、端末装置１０あるいは通信機能を備える他の装置と通信可能な、サーバ装置、パーソナルコンピュータなどの装置である。情報処理装置２０は、図１に示すように、取得手段としての通信部２１と、記憶部２２と、制御部２３とを備える。
【００２０】
通信部２１は、有線または無線を介して外部装置と通信する１つ以上の通信インタフェースである。本実施形態においては、通信部２１は、端末装置１０あるいは通信機能を備える他の装置と通信する通信インタフェースを含む。通信部２１は、端末装置１０あるいは他の装置から送信されてきた、水道水を撮影した撮影画像を取得し、制御部２３に出力する。
【００２１】
記憶部２２は、１つ以上のメモリである。メモリは、例えば、半導体メモリ、磁気メモリまたは光メモリなどであるが、これらに限られず任意のメモリとすることができる。記憶部２２は、例えば、一次記憶装置または二次記憶装置として機能する。記憶部２２は、例えば、情報処理装置２０に内蔵されるが、任意のインタフェースを介して情報処理装置２０に外部から接続される構成も可能である。
【００２２】
制御部２３は、１つ以上のプロセッサである。制御部２３は、例えば、マイクロコントローラであるがこれに限られず、例えば、汎用のプロセッサまたは特定の処理に特化した専用プロセッサなど、任意のプロセッサとすることができる。制御部２３は、情報処理装置２０全体の動作を制御する。
【００２３】
次に、情報処理装置２０のソフトウェア構成について、図１を参照して説明する。情報処理装置２０の動作の制御に用いられる１つ以上のプログラムが記憶部２２に記憶される。当該１つ以上のプログラムは、制御部２３により読み込まれると、制御部２３を、画像評価手段２３１および状態判定手段２３２として機能させる。
【００２４】
画像評価手段２３１は、取得された撮影画像の信頼性を評価する評価手段である。画像評価手段２３１による撮影画像の信頼性の評価の具体例については後述する。
【００２５】
状態判定手段２３２は、取得された撮影画像から、水道水の状態を判定する判定手段である。状態判定手段２３２は、例えば、水道水の状態が、水質の調整が必要な状態であるか否かを判定する。例えば、状態判定手段２３２は、撮影画像から測定された水道水の水質と、水道水質基準あるいは管理目標などで定められた所定の基準値とを比較し、測定された水質が基準値から外れていれば、水道水の水質の調整が必要な状態であると判定する。状態判定手段２３２は、画像評価手段２３１により一定以上の信頼性を有すると評価された撮影画像から、水道水の状態を判定してよい。状態判定手段２３２は、判定結果を水質管理装置３０に出力する。
【００２６】
水質管理装置３０は、状態判定手段２３２の判定結果に基づき、水供給施設から供給される水道水の水質管理を制御する装置である。水質管理装置３０は、例えば、状態判定手段２３２の判定結果に基づき、水道水における残留塩素濃度を制御する。
【００２７】
このように本実施形態においては、端末装置１０により、水道水の水質に関連する撮影画像を取得し、端末装置１０の撮影画像から水道水の状態を判定し、その判定結果に基づき、水道水の水質管理を制御する。そのため、水道管路への水質モニタといった設備の設置およびその維持管理が不要であるので、より安価および簡易に水道水の水質を管理することができる。
【００２８】
なお、本実施形態においては、状態判定手段２３２は、画像評価手段２３１により一定以上の信頼性を有すると評価された撮影画像から水道水の状態を判定する例を用いて説明したが、これに限られるものではない。状態判定手段２３２は、取得された撮影画像をそのまま用いて、水道水の状態を判定してもよい。したがって、画像評価手段２３１は必須の構成ではない。
【００２９】
ただし、ユーザによる水道水の撮影の際に、例えば、撮影が適切に行われないといった人為的なエラーが生じる可能性がある。そこで、本実施形態のように、一定以上の信頼性を有すると評価された撮影画像から水道水の状態を判定することで、判定精度の向上を図ることができる。
【００３０】
次に、本実施形態に係る水質管理システム１の動作について説明する。
【００３１】
図２は、本実施形態に係る水質管理システム１の動作を示すシーケンス図であり、本実施形態に係る水質管理方法を説明するための図である。なお、図２においては、端末装置１０が通信機能を備えるものとする。
【００３２】
端末装置１０は、ユーザの操作に従い、水道水を撮影する（ステップＳ１１）。撮影される水道水は、例えば、需要家の住居あるいは施設などに設置された蛇口から採水された水道水である。上述したように、所定の試薬が添加された水道水が撮影されてもよい。また、水道水を塗布した、または、水道水に浸漬した所定の試験紙が撮影されてもよい。また、所定の試薬を添加した水道水を塗布した、または、所定の試薬を添加した水道水に浸漬した所定の試験紙が撮影されてもよい。端末装置１０が位置情報取得機能を備える場合、端末装置１０は、水道水を撮影した際の端末装置１０の位置情報を取得してよい。この場合、水道水の採水位置の近傍で撮影が行われることが望ましい。水道水の採水位置の近傍で撮影が行われることで、端末装置１０の位置情報から、撮影された水道水の採水位置（水道水が採水された蛇口など）を特定することができる。水道水の採水位置が特定されることで、水供給施設から水道水の採水位置までの水道管路の経路を特定することができる。
【００３３】
端末装置１０は、水道水の水質に関連する撮影画像を情報処理装置２０に送信する（ステップＳ１２）。上述したように、端末装置１０は、撮影画像とともに、撮影の際の端末装置１０の位置情報を情報処理装置２０に送信してよい。また、端末装置１０は、撮影画像とともに、水道水が採水された時刻あるいは撮影の行われた時刻を示す時刻情報を、情報処理装置２０に送信してよい。
【００３４】
情報処理装置２０は、通信部２１により、端末装置１０から送信されてきた撮影画像を受信（取得）する（ステップＳ１３）。
【００３５】
情報処理装置２０は、画像評価手段２３１により、取得した撮影画像の信頼性を評価する（ステップＳ１４）。情報処理装置２０は、状態判定手段２３２により、一定以上の信頼性を有すると評価された撮影画像から水道水の状態を判定する（ステップＳ１５）。撮影画像を用いた水道水の状態の判定は、公知の技術を用いて行うことができる。例えば、水道水に所定の試薬を添加し、その発色状態を観察することで、水道水に含まれる残留塩素濃度を測定することができ、測定された残留塩素濃度に基づいて、水道水の状態を判定することができる。
【００３６】
情報処理装置２０は、水道水の状態の判定結果を水質管理装置３０に送信する（ステップＳ１６）。水質管理装置３０は、情報処理装置２０による水道水の状態の判定結果に基づき、水供給施設から供給される水道水の水質管理を制御する（ステップＳ１７）。
【００３７】
このように本実施形態に係る水質管理方法は、端末装置１０により撮影された、水道水の水質に関連する撮影画像を取得するステップ（ステップＳ１３）と、取得された撮影画像から、水道水の状態を判定するステップ（ステップＳ１５）と、判定の結果に基づき、水供給施設から供給される水道水の水質管理を制御するステップ（ステップＳ１７）と、を含む。
【００３８】
次に、画像評価手段２３１による撮影画像の信頼性の評価について説明する。
【００３９】
画像評価手段２３１は、例えば、評価対象の撮影画像から測定される水道水の水質と、水供給施設から、水道水の採水位置までの所定の地点における水道水の水質との比較により、撮影画像の信頼性を評価する。画像評価手段２３１は、例えば、撮影画像から測定される水道水の水質と、水供給施設の出口における水道水の水質との比較により、撮影画像の信頼性を評価する。また、画像評価手段２３１は、例えば、撮影画像から測定される水道水の水質と、水道水が採水された地域における水道水の水質との比較により、撮影画像の信頼性を評価する。なお、画像評価手段２３１による水道水の水質の評価の方法は、所定の地点における水道水の水質と比較する方法に限られるものではなく、任意の評価方法を用いることができる。
【００４０】
また、画像評価手段２３１による撮影画像の信頼性評価は、水道水の水質の評価に限られるものではなく、他の評価方法を用いることができる。例えば、特定の採水地点に対応する撮影画像が複数送信された場合に、これらの撮影画像が全体の評価に過度に影響を与えないように、画像評価手段２３１は、一定数の撮影画像のみを信頼性が高いと評価し、残りの撮影画像の信頼性を低いと評価してもよい。また、撮影対象が不適切と考えられる場合（例えば、撮影画像の誤選択・誤送信された場合、あるいは、水質を測定できないような画像が送信された場合）には、画像評価手段２３１は、撮影画像の信頼性が低いと評価してもよい。さらに、画像評価手段２３１は、これまでに同じ端末装置１０から送信された撮影画像の評価結果を考慮して、撮影画像の信頼性を評価してもよい。
【００４１】
図３は、画像評価手段２３１による撮影画像の信頼性の評価の一例を示すフローチャートである。図３においては、評価対象の撮影画像から測定される水道水の水質と、水供給施設の出口における水道水の水質との比較により、評価対象の撮影画像の信頼性を評価する例を示す。
【００４２】
画像評価手段２３１は、評価対象の撮影画像から水道水の水質を測定する。以下では、画像評価手段２３１は、水道水の残留塩素濃度を測定するものとする。
【００４３】
画像評価手段２３１は、評価対象の撮影映像から測定した残留塩素濃度の測定値ｘが残留塩素濃度Ｃ０以下（ｘ≦Ｃ０）であるか否かを判定する（ステップＳ２１）。残留塩素濃度Ｃ０は、水道水の撮影時刻から滞留時間ｔだけ遡った時点での、水供給施設の出口における水道水の残留塩素濃度である。滞留時間ｔは、水供給施設から流出した水道水が、水道水の採水位置（蛇口）に至るまでに要する時間である。なお、水供給施設の出口における水道水の残留塩素濃度が、一定期間内で大きな変動がない場合、もしくは、メンテナンスなどにより測定できていない時間帯がある場合、または、水道水の使用量が突発的に変化した場合などでは、水道水の撮影時刻から遡る時間は、滞留時間ｔから増減してもよく、滞留時間ｔが含まれる任意の期間を設定してもよい。この場合には、当該期間における残留塩素濃度の最大値・最小値・平均値などに基づいて、信頼性を評価するための残留塩素濃度Ｃ０を設定してもよい。
【００４４】
例えば、図４に示すように、水供給施設２から水需要家３に、管路Ｐ１、管路Ｐ２、管路Ｐ３および管路Ｐ４を介して、水道水が供給されるとする。この場合、滞留時間ｔは、管路Ｐ１における水道水の滞留時間ｔ１（管路Ｐ１を水道水が流れるのに要する時間）と、管路Ｐ２における水道水の滞留時間ｔ２と、管路Ｐ３における水道水の滞留時間ｔ３と、管路Ｐ４における水道水の滞留時間ｔ４との和（ｔ＝ｔ１＋ｔ２＋ｔ３＋ｔ４）である。
【００４５】
管路Ｐｎにおける水道水の滞留時間ｔｎは、管路Ｐｎの菅半径をｒｎ（ｍ）、管長をｙｎ（ｍ）、管路Ｐｎの処理流量をＱｎ（ｍ３／ｈ）とすると、以下の式（１）に基づき算出することができる。
滞留時間ｔｎ＝（πｒｎ２・ｙｎ）／Ｑｎ  ・・・式（１）
【００４６】
画像評価手段２３１は、水供給施設から評価対象の撮影画像で撮影されている水道水の採水位置に至る管路を特定する。画像評価手段２３１は、例えば、評価対象の撮影画像とともに送信された位置情報に基づき採水位置を特定する。また、画像評価手段２３１は、例えば、端末装置１０と、その端末装置１０が撮影する水道水の採水位置との対応関係を記憶しており、その対応関係に基づき、撮影された水道水の採水位置を特定してもよい。
【００４７】
画像評価手段２３１は、水供給施設から撮影された水道水の採水位置に至る管路の管半径ｒ、管長ｙおよび処理流量Ｑを取得する。管半径ｒ、管長ｙおよび処理流量Ｑのデータは、例えば、予め記憶部２２などに記憶される。画像評価手段２３１は、水供給施設から採水位置に至る管路の管半径ｒ、管長ｙおよび処理流量Ｑに基づき、上述した式（１）を用いて滞留時間ｔを算出する。
【００４８】
画像評価手段２３１は、評価対象の撮影画像から測定した測定値ｘが、評価対象の撮影画像の撮影時刻から滞留時間ｔだけ前の時点での、水供給施設の出口における残留塩素濃度Ｃ０以下であるか否かを判定する。通常、水供給施設から需要家まで水道水が供給される間に、水道水の残留塩素濃度は低下する。したがって、評価対象の撮影画像から測定した測定値ｘが残留塩素濃度Ｃ０よりも大きい場合、評価対象の撮影画像は適切に撮影されていないと考えられる。
【００４９】
したがって、図３を再び参照すると、測定値ｘが残留塩素濃度Ｃ０以下であると判定した場合（ステップＳ２１：Ｙｅｓ）、画像評価手段２３１は、評価対象の撮影画像は一定以上の信頼性を有すると評価する（ステップＳ２２）。
【００５０】
また、測定値ｘが残留塩素濃度Ｃ０よりも大きいと判定した場合（ステップＳ２１：Ｎｏ）、画像評価手段２３１は、評価対象の撮影画像は一定以上の信頼性を有さないと評価する（ステップＳ２３）。
【００５１】
ステップＳ２２またはステップＳ２３の処理の後、画像評価手段２３１は、評価結果を状態判定手段２３２に出力し（ステップＳ２４）、処理を終了する。状態判定手段２３２は、一定以上の信頼性を有さないと評価された撮影画像については欠損扱いにして、水道水の状態を判定する。
【００５２】
図５は、画像評価手段２３１による撮影画像の信頼性の評価の他の一例を示すフローチャートである。図５においては、評価対象の撮影画像から測定される水道水の水質と、水道水が採水された地域における水道水の水質との比較により、評価対象の撮影画像の信頼性を評価する例を示す。
【００５３】
画像評価手段２３１は、評価対象の撮影画像から測定した水道水の残留塩素濃度の測定値ｘが所定の閾値ａ以上、閾値ｂ（ａ＜ｂ）以下である（ａ≦ｘ≦ｂ）か否かを判定する（ステップＳ３１）。所定の閾値ａ，ｂは、撮影された水道水が採水された地域における水道水の残留塩素濃度Ｃを所定値α、βだけ増減させた値である。具体的には、閾値ａ＝Ｃ−αであり、閾値ｂ＝Ｃ＋βである。ただし、閾値ａ＞０であり、閾値ｂ≦Ｃ０である。所定値α、βは地域、水温、配管劣化状況、配管材料などに依存する値である。したがって、画像評価手段２３１は、評価対象の撮影画像から測定した測定値ｘが、撮影された水道水が採水された地域において想定される残留塩素濃度の範囲に収まっているか否かを判定する。
【００５４】
地域における水道水の残留塩素濃度Ｃ（ｍｇ／Ｌ）は、水供給施設の出口における水道水の残留塩素濃度をＣ０（ｍｇ／Ｌ）とし、水供給施設からその地域までの水道水の滞留時間をｔとし、残留塩素減少速度係数をｋ（／ｈ）とすると、以下の式（２）に基づき算出することができる。残留塩素減少速度係数ｋは、水温、配管材料あるいは水質などに依存する係数である。
Ｃ＝Ｃ０ｅ−ｋｔ  ・・・式（２）
【００５５】
このように、画像評価手段２３１は、評価対象の撮影画像から測定される水道水の水質と、地域において想定される水道水の水質（理論値）との比較により、撮影画像の信頼性を評価する。ただし、画像評価手段２３１は、評価対象の撮影画像から測定される水道水の水質と、地域において予め測定された水道水の水質（測定値）との比較により、撮影画像の信頼性を評価してもよい。また、信頼性を評価するために測定値ｘと比較される値は、経験則に基づいて設定されてもよい。なお、上述したように、画像評価手段２３１による水道水の水質の評価の方法は、地点における水道水の水質と比較する方法に限られるものではなく、任意の評価方法を用いることができる。
【００５６】
測定値ｘが閾値ａ以上、閾値ｂ以下であると判定した場合（ステップＳ３１：Ｙｅｓ）、画像評価手段２３１は、評価対象の撮影画像で撮影された水道水と同一配管を通り、他の採水位置で採水された水道水が、評価対象の撮影画像と同一の時間帯に撮影された撮影画像（以下、「同一時間帯・同一配管の撮影画像」と称する）を用いて、評価対象の撮影画像の信頼性を評価する。具体的には、画像評価手段２３１は、同一時間帯・同一配管の撮影画像から測定された測定値ｘが閾値ａ以上、閾値ｂ以下であるか否かを判定する（ステップＳ３２）。
【００５７】
ここで、評価対象の撮影画像と同一時間帯に撮影された撮影画像とは、評価対象の撮影画像の撮影時刻あるいは情報処理装置２０が評価対象の撮影画像を取得した時刻の前後、一定時間内（例えば、数分内あるいは数時間内）に撮影された、あるいは、情報処理装置２０が取得した撮影画像を含む。また、水道水の撮影が、例えば、一定の間隔（例えば、一日に一回）で、決まったスケジュール（決まった時間）で行われる場合、評価対象の撮影画像と同一時間帯に撮影された撮影画像とは、評価対象の撮影画像と同じスケジュールで撮影された画像を含む。
【００５８】
評価対象の撮影映像と同一時間帯・同一配管の撮影画像とでは撮影された水道水の採水位置が異なる。したがって、端末装置１０とその端末装置１０により撮影する水道水の採水位置とが対応付けられている場合、同一時間帯・同一配管の撮影画像を撮影した端末装置１０は、評価対象の撮影映像を撮影した端末装置１０とは異なる。したがって、画像評価手段２３１は、評価対象の撮影画像の信頼性を、評価対象の撮影画像を撮影した端末装置１０とは異なる端末装置１０により撮影された撮影画像を用いて評価してよい。
【００５９】
評価対象の撮影画像から測定した測定値ｘ、および、同一時間帯・同一配管の撮影画像から測定した測定値ｘがともに、閾値ａ以上、閾値ｂ以下である場合、評価対象の撮影画像と、同一時間帯・同一配管の撮影画像とで同様の傾向が観察されている。そのため、評価対象の撮影画像は適切に撮影されたと考えられる。一方、評価対象の撮影画像から測定した測定値ｘが閾値ａ以上、閾値ｂ以下であり、かつ、同一時間帯・同一配管の撮影画像から測定した測定値ｘが閾値ａ未満あるいは閾値ｂより大きい場合、評価対象の撮影画像と、同一時間帯・同一配管の撮影画像とで異なる傾向が観察されている。そのため、評価対象の撮影画像および同一時間帯・同一配管の撮影画像のうち、少なくとも一方は適切に撮影されていないと考えられる。
【００６０】
したがって、同一時間帯・同一配管の撮影画像から測定された測定値ｘが閾値ａ以上、閾値ｂ以下であると判定した場合（ステップＳ３２：Ｙｅｓ）、画像評価手段２３１は、評価対象の撮影画像は一定以上の信頼性を有すると評価する（ステップＳ３３）。
【００６１】
また、同一時間帯・同一配管の撮影画像から測定された測定値ｘが閾値ａ未満あるいは閾値ｂより大きいと判定した場合（ステップＳ３２：Ｎｏ）、画像評価手段２３１は、評価対象の撮影画像は一定以上の信頼性を有さないと評価する（ステップＳ３４）。このように、画像評価手段２３１は、評価対象の撮影映像から測定した測定値ｘだけでなく、他の測定値ｘ（ステップＳ３２では、同一時間帯・同一配管の撮影画像から測定された測定値ｘ）を用いて、評価対象の撮影画像が一定以上の信頼性を有するか否かを評価する。
【００６２】
評価対象の撮影画像から測定された測定値ｘが閾値ａ未満あるいは閾値ｂより大きいと判定した場合（ステップＳ３１：Ｎｏ）、画像評価手段２３１は、同一時間帯・同一配管の撮影画像から測定された測定値ｘが閾値ａ以上、閾値ｂ以下であるか否かを判定する（ステップＳ３５）。
【００６３】
評価対象の撮影画像から測定された測定値ｘおよび同一時間帯・同一配管の撮影画像から測定された測定値ｘがともに、閾値ａ未満あるいは閾値ｂより大きい場合、評価対象の撮影画像および同一時間帯・同一配管の撮影画像において同様の傾向が観察されている。そのため、評価対象の撮影画像は適切に撮影されていると考えられる。
【００６４】
一方、評価対象の撮影画像から測定された測定値ｘが閾値ａ未満あるいは閾値ｂより大きく、同一時間帯・同一配管の撮影画像から測定された測定値ｘが閾値ａ以上、閾値ｂ以下である場合、評価対象の撮影画像と、同一時間帯・同一配管の撮影画像とで異なる傾向が観察されている。つまり、評価対象の撮影画像から測定された測定値ｘだけが、評価対象の撮影画像で撮影された水道水と同一配管を通り、他の採水位置で採水された水道水が、評価対象の撮影画像と同一の時間帯に撮影された撮影画像から測定された測定値ｘの範囲から外れている。そのため、評価対象の撮影画像は適切に撮影されていないと考えられる。
【００６５】
したがって、同一時間帯・同一配管の撮影画像から測定した測定値ｘが閾値ａ未満あるいは閾値ｂより大きいと判定した場合（ステップＳ３５：Ｎｏ）、画像評価手段２３１は、評価対象の撮影画像は一定以上の信頼性を有すると評価する（ステップＳ３３）。
【００６６】
また、同一時間帯・同一配管の撮影画像から測定した測定値ｘが閾値ａ以上、閾値ｂ以下であると判定した場合（ステップＳ３５：Ｙｅｓ）、画像評価手段２３１は、評価対象の撮影画像で撮影された水道水と同一の採水位置で採水された水道水を撮影した、直近ｎ回の撮影画像（以下、「同一採水位置の直近ｎ回の撮影画像」と称する）から測定した測定値ｘが閾値ａ以上、閾値ｂ以下であるか否かを判定する（ステップＳ３６）。
【００６７】
このように、画像評価手段２３１は、評価対象の撮影画像の信頼性を、評価対象の撮影画像と同一の採水位置の水道水を撮影した他の撮影画像を用いて評価してよい。また、端末装置１０とその端末装置１０により撮影する水道水の採水位置とが対応付けられている場合、同一採水位置の直近ｎ回の撮影画像を撮影した端末装置１０は、評価対象の撮影映像を撮影した端末装置１０と同じである。したがって、画像評価手段２３１は、評価対象の撮影画像の信頼性を、評価対象の撮影画像を撮影した端末装置１０により撮影された他の撮影画像を用いて評価してもよい。
【００６８】
同一時間帯・同一配管の撮影画像から測定した測定値ｘが閾値ａ以上、閾値ｂ以下であっても、評価対象の撮影画像から測定した測定値ｘ、および、同一採水位置の直近ｎ回の撮影画像から測定した測定値ｘがともに、閾値ａ未満あるいは閾値ｂより大きい場合、評価対象の撮影画像と、同一採水位置の直近ｎ回の撮影画像とで同様の傾向が観察されている。そのため、評価対象の撮影画像から測定した測定値ｘは、撮影された水道水が採水された地域において想定される残留塩素濃度の範囲から外れているものの、評価対象の撮影画像は適切に撮影されていると考えられる。
【００６９】
一方、評価対象の撮影画像から測定した測定値ｘが閾値ａ未満あるいは閾値ｂより大きく、かつ、同一時間帯・同一配管の撮影画像から測定した測定値ｘ、および、同一採水位置の直近ｎ回の撮影画像から測定した測定値ｘが閾値ａ以上、閾値ｂ以下である場合、評価対象の撮影画像では、同一時間帯・同一配管の撮影画像および同一採水位置の直近ｎ回の撮影画像と異なる傾向が観察されている。そのため、評価対象の撮影画像は適切に撮影されていないと考えられる。
【００７０】
したがって、同一採水位置の直近ｎ回の撮影画像から測定された測定値ｘが閾値ａ以上、閾値ｂ以下であると判定した場合（ステップＳ３６：Ｙｅｓ）、画像評価手段２３１は、評価対象の撮影画像は一定以上の信頼性を有さないと評価する（ステップＳ３４）。
【００７１】
また、同一採水位置の直近ｎ回の撮影画像から測定された測定値ｘが閾値ａ未満あるいは閾値ｂより大きいと判定した場合（ステップＳ３６：Ｎｏ）、画像評価手段２３１は、評価対象の撮影画像は一定以上の信頼性を有すると評価する（ステップＳ３３）。
【００７２】
ステップＳ３３またはステップＳ３４の処理の後、画像評価手段２３１は、評価結果を状態判定手段２３２に出力し（ステップＳ３７）、処理を終了する。
【００７３】
このように本実施形態においては、水質管理システム１は、情報処理装置２０を備える。情報処理装置２０は、端末装置１０により撮影された、水道水の水質に関連する撮影画像を取得する、取得手段としての通信部２１と、取得された撮影画像から、水道水の状態を判定する状態判定手段２３２とを備える。
【００７４】
端末装置１０により撮影された、水道水の水質に関連する撮影画像から水道水の状態を判定することで、水質を計測する水質モニタを水道管路に設置することなく、水道水の状態を判定し、水道水の水質管理を制御することができる。そのため、設備の設置および維持管理の手間およびコストを削減し、より安価および簡易に水道水の水質を管理することができる。
【００７５】
なお、上述した実施形態においては、撮影画像から水道水の水質として残留塩素濃度を測定する例を用いて説明したが、本発明はこれに限られるものではない。パックテストあるいは試験紙を用いて測定可能な水質については同様に、撮影画像から測定することが可能である。例えば、パックテストにより、水道水のｐＨ、化学的酸素要求量（ＣＯＤ：Chemical Oxygen Demand）あるいは硝酸態窒素などを測定することができる。また、試験紙を用いて、水道水のｐＨあるいは硬度などを測定することができる。
【００７６】
本発明を諸図面および実施形態に基づき説明してきたが、当業者であれば本開示に基づき種々の変形及び修正を行うことが容易であることに注意されたい。したがって、これらの変形および修正は本発明の範囲に含まれることに留意されたい。例えば、各手段、各ステップなどに含まれる機能などは論理的に矛盾しないように再配置可能であり、複数の手段およびステップなどを１つに組み合わせたり、あるいは分割したりすることが可能である。前述したところは本発明の一実施形態にすぎず、特許請求の範囲において、種々の変更を加えてよいことは言うまでもない。
【００７７】
例えば、端末装置１０が、水道水の撮影から水質の測定までを行い、情報処理装置２０が、端末装置１０の測定結果に基づいて、水供給施設から供給される水道水の水質管理を制御してもよい。
【００７８】
また、上述した実施形態において、情報処理装置２０によって実現される各種の手段をソフトウェア構成として説明したが、これらのうち少なくとも一部の手段は、ソフトウェア資源および／またはハードウェア資源を含む概念であってもよい。
【００７９】
また、上述した実施形態に係る情報処理装置２０として機能させるために、コンピュータまたは携帯電話などの装置を用いることができる。当該装置は、実施形態に係る情報処理装置２０の各機能を実現する処理内容を記述したプログラムを、当該装置のメモリに格納し、当該装置のプロセッサによって当該プログラムを読み出して実行させることによって実現可能である。
【符号の説明】
【００８０】
１  水質管理システム
２    水供給施設
３    水需要家
１０    端末装置
１１    撮影部（撮影手段）
２０    情報処理装置
２１    通信部（取得手段）
２２    記憶部
２３    制御部
２３１    画像評価手段
２３２    状態判定手段
Ｐ１〜Ｐ４    管路
【図１】
2022001346.tif 000003
【図２】
2022001346.tif 000004
【図３】
2022001346.tif 000005
【図４】
2022001346.tif 000006
【図５】
2022001346.tif 000007